(57)【要約】【課題】弾性変形可能な環状のヘアゴムにおいて、ファッション性に優れ、かつ最適な弾性力を発揮させることを目的とする。【解決手段】ヘアゴムは、外層と当該外層の内部に配置される芯材からなり、外層は、外層用糸を疎に編み込んだこぶ部と、外層用糸を密に編み込むことで形成したこぶ部より小径な連結部から構成され、外層のこぶ部は弾性変形可能であり、芯材は、伸縮性を有する紐、又は非伸縮性の紐で構成され、こぶ部の内部に弛緩及び／又は蛇行するよう配置する。【選択図】図１
2020168134.tif 000002
【特許請求の範囲】
【請求項１】
こぶ部を軸線方向に複数配置し、軸線方向に弾性変形可能な環状のヘアゴムであって、
前記ヘアゴムは、外形を形成する外層と、当該外層の内部全長に渡って連続配置される芯材からなり、
前記外層は、
外層用糸が疎に編み込まれた前記こぶ部と、前記外層用糸が密に編み込まれ、かつ前記こぶ部より小径な連結部とから構成され、当該外層に形成される前記こぶ部は弾性変形可能であり、
前記芯材は、
伸縮性を有する紐、又は非伸縮性の紐で構成され、前記こぶ部の内部に弛緩及び／又は蛇行した状態で配置されている、
ことを特徴とするヘアゴム。
【請求項２】
前記芯材に用いる前記伸縮性を有する紐は、伸縮性糸と非伸縮性糸を、１：１、１：２、１：３、１：４、１：５のいずれかの本数比で編んだ編紐、又は撚った撚紐である、
ことを特徴とする請求項１に記載のヘアゴム。
【請求項３】
前記芯材に用いる前記伸縮性を有する紐は、伸縮性繊維と非伸縮性繊維を一体化した伸縮性複合繊維糸を用いて編んだ編紐、又は撚った撚紐であり、前記伸縮性繊維の配合割合は、前記非伸縮性繊維に対して１５〜５０％である、
ことを特徴とする請求項１に記載のヘアゴム。
【請求項４】
前記伸縮性糸及び前記伸縮性繊維は、合成ゴム又は天然ゴム素材からなる、
ことを特徴とする請求項２又は３に記載のヘアゴム。
【請求項５】
前記非伸縮性糸及び前記非伸縮性繊維は、ナイロン又はポリエステル素材からなる、
ことを特徴とする請求項２又は３に記載のヘアゴム。
【請求項６】
前記芯材に用いる前記紐は、組紐又はリリアン編み紐である、
ことを特徴とする請求項２又は３に記載のヘアゴム。
【請求項７】
前記外層は、組紐である、
ことを特徴とする請求項１ないし６のいずれか１項に記載のヘアゴム。
【請求項８】
前記外層用糸は、伸縮性糸と非伸縮性糸との組合せ、又は伸縮性繊維と非伸縮性繊維を一体化した伸縮性複合繊維糸である、
ことを特徴とする請求項１ないし７のいずれか１項に記載のヘアゴム。
【請求項９】
前記こぶ部の径は、全て同一径である、
ことを特徴とする請求項１ないし８のいずれか１項に記載のヘアゴム。
【請求項１０】
前記こぶ部の径は、複数の異なる径で構成される、
ことを特徴とする請求項１ないし８のいずれか１項に記載のヘアゴム。
【発明の詳細な説明】
【技術分野】
【０００１】
本発明は、弾性変形可能な環状のヘアゴムに関する。
【背景技術】
【０００２】
ヘアゴムとは、髪をまとめるために使用する輪になったゴム状の髪留めであり、ポニーテールやおさげ髪などの髪型を作る際に欠かせない用具の一つである。一般的に「ヘアゴム」と呼ばれているが、必ずしも、完全なゴム材料のみからなるものではなく、弾性素材と非弾性素材を組み合わせて構成されるものも多数存在する。
【０００３】
従来のヘアゴムは、いわゆる輪ゴム形状のものや、組紐の場合、全体が同一径の環状体で全長に渡って同一構造であるため、ファッション性に劣るとともに、締め付けの調整が難しかった。  
【０００４】
特許文献１には、弾性のある紐体に合成樹脂製のボールを等間隔に一体成形によって固定し、このボールは弾性を備えた紐体を圧潰した状態で固着している伸縮ボールチエンを主な構成としたヘアゴムが開示されているが、合成樹脂製ボールと弾性のある紐体とが固着される構成であるため、ボールが固く、またボールと紐体との間に髪が挟まる可能性あった。また、外部からの衝撃によって、ボールと紐体との固着が壊れてしまう可能性もあった。  
【先行技術文献】
【特許文献】
【０００５】
【特許文献１】特開平７−２７９０１８号公報
【発明の概要】
【発明が解決しようとする課題】
【０００６】
本願発明は、上記した従来技術が有する課題を解決し、ファッション性に優れるとともに、外層と芯材によって弾性変形可能なこぶ部を有するヘアゴムを提供することを目的とする。
【０００７】
上記の目的を達成するため、本願発明は、こぶ部を軸線方向に複数配置し、軸線方向に弾性変形可能な環状のヘアゴムであって、前記ヘアゴムは、当該紐の外形を形成する外層と、当該外層の内部全長に渡って連続配置される芯材からなり、前記外層は、外層用糸が疎に編み込まれた前記こぶ部と、前記外層用糸が密に編み込まれ、かつ前記こぶ部より小径な連結部とから構成され、当該外層に形成される前記こぶ部は弾性変形可能であり、前記芯材は、伸縮性を有する紐で構成され、前記こぶ部の内部に弛緩及び／又は蛇行した状態で配置されている、ことを特徴とする。
【発明の効果】
【０００８】
上記構成を有する本願発明によれば、外層に形成される弾性変形可能なこぶ部と弾性変形可能な芯材によって、ヘアゴムとして作用する適度な弾性力を発揮するとともに、適宜の間隔を持って配置されるこぶ部によって、優れたファッション性を有するものである。
【図面の簡単な説明】
【０００９】
【図１】本発明の第一実施形態に係るヘアゴムの全体斜視図。
【図２】本発明の第一実施形態に係るヘアゴムの断面を模式的に説明するための図。
【図３】紐の製造装置及び製造方法を模式的に説明するための図。
【図４】本発明の第二実施形態に係るヘアゴムの全体斜視図。
【図５】本発明の第二実施形態に係るヘアゴム紐の断面を模式的に説明するための図。
【発明を実施するための形態】
【００１０】
以下、本発明の実施形態について図面を用いて詳細に説明する。なお、本発明はこれらの実施形態に何ら限定されるものではなく、その要旨を逸脱しない範囲内において、様々な態様で実施し得る。なお、本発明で言う芯材の「弛緩及び／又は蛇行した状態」とは、弾性力を有する芯材が、真っ直ぐに伸びた状態ではなく、弛緩し、蛇行した状態の形状を意味するものである。
【００１１】
図１は、本発明の第一実施形態に係る環状のヘアゴム１の全体斜視図である。図１は、ヘアゴム１に対して外力が働いていない自然状態を示す全体像であり、軸線方向に同一径の複数のこぶ部２が適宜の間隔をおいて配置され、こぶ部２とこぶ部２との間は、小径の連結部３によって連結されている。
【００１２】
図２は、ヘアゴム１の断面を模式的に示した図である。図示のとおり、ヘアゴム１は、外形を形成する外層４と、当該外層４の内部全長に渡って連続して配置される芯材５とで構成される。外層４の構造は、本出願人による特許第５０７９９２６号と基本的に同じであり、伸縮性の糸と非伸縮性の糸を適宜の組合せで編み込んだ組紐であり、こぶ部２は疎に編み込むことで柔らかく膨出するよう形成され、連結部３は密に編み込むことで硬く細く形成されている（当該連結部３は、通常の紐と同様に実質的に弾性変形しない）。
【００１３】
芯材５は、外層４内に配置する細く弾性変形可能な編み紐であり、こぶ部２の内部において蛇行した状態で配置され、連結部３の内部では真っ直ぐに伸びた状態で配置されている。
【００１４】
芯材５は、天然ゴム、合成ゴム等の弾性素材からなる伸縮性糸と、ナイロン、ポリエステル等の非弾性素材からなる非伸縮性糸を、適宜の本数比で編み込んだ編紐（例えば組紐やリリアン編紐）として形成され、伸縮性を有する。芯材５の弾性力は、伸縮性糸と非伸縮性糸の本数比で変化させることができ、例えば、伸縮性糸と非伸縮性糸の本数比を１：１、１：２、１：３、１：４、１：５、１：６等の適宜の本数比で編むことができる。この本数比を適宜に決定することで、芯材５の弾性力を調整することができる。
【００１５】
また芯材５に用いる編紐は、伸縮性繊維と非伸縮性繊維を一体化した、いわゆる公知の伸縮性複合繊維糸のみを用いて編んだ編紐でも良い。この伸縮性複合繊維糸を用いる場合、微細な伸縮性繊維と微細な非伸縮性繊維を適宜の割合で配合することができるため、前記した伸縮性糸及び非伸縮性糸を用いる場合に比べて、芯材５の弾性力を微調整することができる。本願発明においては、芯材５の機能を考えて、伸縮性繊維の配合割合は、非伸縮性繊維に対して１５〜５０％の範囲とすることが好ましい。
【００１６】
ヘアゴム１は、こぶ部を有する紐を適宜の長さで切断し、当該切断した紐の２つの切断面を接着剤で固定することで環状に形成するものである。切断箇所は、こぶ部２であっても、連結部３であっても良い。
図３は、ヘアゴム１の元となるこぶ部を有する紐を製造する装置及び方法を模式的に示したものであり、上記により予め作成した芯材５を中心として、非伸縮性糸であるナイロン糸７と伸縮性糸であるゴム糸８を適宜の組合せで編み込むものであり、引き上げ速度を調整することにより疎又は密に編み込み、柔らかく膨出するこぶ部２と、硬く細い連結部３が外層４として形成される。同時に、その内部中心に位置する芯材５は、こぶ部２の内部で蛇行した状態で配置され、連結部３の内部では真っ直ぐに伸びた状態で配置される。
【００１７】
芯材５は、硬く細い連結部３の内部では外層４と密着（圧着）しており、柔らかく膨出したこぶ部２の内部では外層４と密着せず、ほぼフリーな蛇行状態となっている。
【００１８】
以上の装置と方法を用いて製造されたヘアゴム１の元となる紐は、疎に編み込むことで柔らかく膨出するよう形成されたこぶ部２が軸線方向からの外力によって容易に弾性変形する一方、密に編み込むことで硬く細く形成される連結部３は、ほとんど変形しない。
【００１９】
図４は、本願発明の第二実施形態に係るヘアゴム１の全体斜視図、図５はその断面を模式的に示したものである。当該第二実施形態は、複数種の径を有するこぶ部２が、ヘアゴム１の軸線方向に配置されたものであり、第一実施形態のヘアゴムに比べて、よりファッション性を高めることができるとともに、こぶ部の径の違いによって、その弾性力も変化させることができる。
【００２０】
なお、本第一実施形態及び第二実施形態において、芯材５はこぶ部２の内部で蛇行した状態としているが、真っ直ぐに伸びていない、いわゆる弛緩した状態であれば良い。また、上記各実施形態に係る芯材５は、伸縮性を有する紐としたが、非伸縮性の紐であっても良い。この場合、ヘアゴム１の弾性力は、外層４に形成されるこぶ部２のみの作用になる。
【００２１】
以上のとおり、本願発明に係るヘアゴム１によれば、適宜の間隔を置いて配置されるこぶ部によるファッション性を有するとともに、弾性変形可能な外層４のこぶ部とその内部に配置される弾性変形可能な芯材５との組み合わせとする場合、ヘアゴムとして最適な弾性力を発揮することができる。もちろん、芯材５を非伸縮性の紐としても、ヘアゴムとして適度な弾性力を有することができる。
【符号の説明】
【００２２】
１  ヘアゴム
２  こぶ部
３  連結部
４  外層
５  芯材
７  ナイロン糸
８  ゴム糸
【図１】
2020168134.tif 000003
【図２】
2020168134.tif 000004
【図３】
2020168134.tif 000005
【図４】
2020168134.tif 000006
【図５】
2020168134.tif 000007
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
こぶ部を軸線方向に複数配置し、軸線方向に弾性変形可能な環状のヘアゴムであって、
前記ヘアゴムは、外形を形成する外層と、当該外層の内部全長に渡って連続配置される芯材からなり、
前記外層は、
外層用糸が疎に編み込まれた前記こぶ部と、前記外層用糸が密に編み込まれ、かつ前記こぶ部より小径な連結部とから構成され、当該外層に形成される前記こぶ部は弾性変形可能であり、
前記芯材は、
伸縮性を有する紐、又は非伸縮性の紐で構成され、前記こぶ部の内部に弛緩及び／又は蛇行した状態で配置されている、
ことを特徴とするヘアゴム。
【請求項２】
前記芯材に用いる前記伸縮性を有する紐は、伸縮性糸と非伸縮性糸を、１：１、１：２、１：３、１：４、１：５のいずれかの本数比で編んだ編紐である、
ことを特徴とする請求項１に記載のヘアゴム。
【請求項３】
前記芯材に用いる前記伸縮性を有する紐は、伸縮性繊維と非伸縮性繊維を一体化した伸縮性複合繊維糸を用いて編んだ編紐であり、前記伸縮性繊維の配合割合は、前記非伸縮性繊維に対して１５〜５０％である、
ことを特徴とする請求項１に記載のヘアゴム。
【請求項４】
前記伸縮性糸は、合成ゴム又は天然ゴム素材からなる、
ことを特徴とする請求項２又は３に記載のヘアゴム。
【請求項５】
前記非伸縮性糸は、ナイロン又はポリエステル素材からなる、
ことを特徴とする請求項２又は３に記載のヘアゴム。
【請求項６】
前記芯材に用いる前記紐は、組紐又はリリアン編み紐である、
ことを特徴とする請求項２又は３に記載のヘアゴム。
【請求項７】
前記外層は、組紐である、
ことを特徴とする請求項１ないし６のいずれか１項に記載のヘアゴム。
【請求項８】
前記外層用糸は、伸縮性糸と非伸縮性糸との組合せである、
ことを特徴とする請求項１ないし７のいずれか１項に記載のヘアゴム。
【請求項９】
前記こぶ部の径は、全て同一径である、
ことを特徴とする請求項１ないし８のいずれか１項に記載のヘアゴム。
【請求項１０】
前記こぶ部の径は、複数の異なる径で構成される、
ことを特徴とする請求項１ないし８のいずれか１項に記載のヘアゴム。